(57)【要約】【課題】液晶表示装置等の表示装置での表示のために、隣接画素の影響を含めてＴＲＣ特性を補正する。【解決手段】色補正方法は、隣接画素の信号レベルがほぼ一定の基準レベルである場合の補正対象画素のＴＲＣ特性を表す関数をｆｇ（ｉ）、隣接画素の信号が補正対象画素に与える影響を補正対象画素の信号レベルに応じてＴＲＣ特性から取り消す補正量を表す関数をｇ（ｉ）、補正対象画素および隣接画素の補正前の信号レベルをそれぞれＧ２，Ｒ２とするとき、ｆｇ（Ｇ３）＋ｇ（Ｇ３）×Ｒ２＝Ｇ２、を満たすように、補正対象画素の補正後の信号レベルＧ３を得る。【選択図】　図１
2004138916.tif 000002
【特許請求の範囲】
【請求項１】
隣接画素の信号レベルがほぼ一定の基準レベルである場合の補正対象画素のＴＲＣ特性を表す関数Ｆ１を実現する第１の関数手段と、
隣接画素の信号が補正対象画素に与える影響を補正対象画素の信号レベルに応じて上記ＴＲＣ特性から取り消す補正量を表す関数Ｆ２を実現する第２の関数手段と、
上記の第１の関数手段および第２の関数手段を用いて、補正対象画素の補正前の信号レベル、および、隣接画素の補正前あるいは補正後の信号レベルに基づき、補正対象画素の補正後の信号レベルを得る補正手段と、を具備することを特徴とする色補正装置。
【請求項２】
上記補正手段は、上記補正対象画素の補正前の信号レベルをｃ０、上記隣接画素の補正前あるいは補正後の信号レベルをｄとするとき、
Ｆ１（ｃ１）＋Ｆ２（ｃ１）×ｄ＝ｃ０
を満たすように、補正対象画素の補正後の信号レベルｃ１を得るものであることを特徴とする請求項１に記載の色補正装置。
【請求項３】
上記関数Ｆ１は、隣接画素の信号レベルがほぼ最大またはほぼ最小の場合の補正対象画素のＴＲＣ特性であり、
上記関数Ｆ２は、上記２つのＴＲＣ特性の差分であることを特徴とする請求項１または２に記載の色補正装置。
【請求項４】
２つの隣接画素の信号レベルがともにほぼ一定の基準レベルである場合の補正対象画素のＴＲＣ特性を表す関数Ｆ１を実現する第１の関数手段と、
一方の隣接画素の信号が補正対象画素に与える影響を補正対象画素の信号レベルに応じて上記ＴＲＣ特性から取り消す補正量を表す関数Ｆ２を実現する第２の関数手段と、
他方の隣接画素の信号が補正対象画素に与える影響を補正対象画素の信号レベルに応じて上記ＴＲＣ特性から取り消す補正量を表す関数Ｆ３を実現する第３の関数手段と、
上記の第１の関数手段、第２の関数手段、および第３の関数手段を用いて、補正対象画素の補正前の信号レベル、および、隣接画素の補正前あるいは補正後の信号レベルに基づき、補正対象画素の補正後の信号レベルを得る補正手段と、を具備することを特徴とする色補正装置。
【請求項５】
上記補正手段は、上記補正対象画素の補正前の信号レベルをｃ０、上記２つの隣接画素の補正前あるいは補正後の信号レベルをそれぞれｄ，ｅとするとき、
Ｆ１（ｃ１）＋Ｆ２（ｃ１）×ｄ＋Ｆ３（ｃ１）×ｅ＝ｃ０
を満たすように、補正対象画素の補正後の信号レベルｃ１を得るものであることを特徴とする請求項４に記載の色補正装置。
【請求項６】
上記関数Ｆ１は、２つの隣接画素の信号レベルがほぼ最大またはほぼ最小の場合の補正対象画素のＴＲＣ特性であり、
上記関数Ｆ２は、他方の隣接画素の信号レベルがほぼ最小である場合において、一方の隣接画素の信号レベルがほぼ最大およびほぼ最小の場合の補正対象画素のＴＲＣ特性の差分であり、
上記関数Ｆ３は、一方の隣接画素の信号レベルがほぼ最小である場合において、他方の隣接画素の信号レベルがほぼ最大およびほぼ最小の場合の補正対象画素のＴＲＣ特性の差分である、ことを特徴とする請求項４または５に記載の色補正装置。
【請求項７】
隣接画素の信号レベルがほぼ一定の基準レベルである場合の補正対象画素のＴＲＣ特性を表す関数をＦ１、
隣接画素の信号が補正対象画素に与える影響を補正対象画素の信号レベルに応じて上記ＴＲＣ特性から取り消す補正量を表す関数をＦ２とするとき、
上記の関数Ｆ１および関数Ｆ２を用いて、補正対象画素の補正前の信号レベル、および、隣接画素の補正前あるいは補正後の信号レベルに基づき、補正対象画素の補正後の信号レベルを得ることを特徴とする色補正方法。
【請求項８】
上記補正対象画素の補正前の信号レベルをｃ０、上記隣接画素の補正前あるいは補正後の信号レベルをｄとするとき、
Ｆ１（ｃ１）＋Ｆ２（ｃ１）×ｄ＝ｃ０
を満たすように、補正対象画素の補正後の信号レベルｃ１を得ることを特徴とする請求項７に記載の色補正方法。
【請求項９】
２つの隣接画素の信号レベルがともにほぼ一定の基準レベルである場合の補正対象画素のＴＲＣ特性を表す関数をＦ１、
一方の隣接画素の信号が補正対象画素に与える影響を補正対象画素の信号レベルに応じて上記ＴＲＣ特性から取り消す補正量を表す関数をＦ２、
他方の隣接画素の信号が補正対象画素に与える影響を補正対象画素の信号レベルに応じて上記ＴＲＣ特性から取り消す補正量を表す関数をＦ３とするとき、
上記の関数Ｆ１、関数Ｆ２、および関数Ｆ３を用いて、補正対象画素の補正前の信号レベル、および、２つの隣接画素の補正前あるいは補正後の信号レベルに基づき、補正対象画素の補正後の信号レベルを得ることを特徴とする色補正方法。
【請求項１０】
上記補正対象画素の補正前の信号レベルをｃ０、上記２つの隣接画素の補正前あるいは補正後の信号レベルをそれぞれｄ，ｅとするとき、
Ｆ１（ｃ１）＋Ｆ２（ｃ１）×ｄ＋Ｆ３（ｃ１）×ｅ＝ｃ０
を満たすように、補正対象画素の補正後の信号レベルｃ１を得ることを特徴とする請求項９に記載の色補正方法。
【請求項１１】
請求項１から６のいずれか１項に記載の色補正装置を動作させる色補正プログラムであって、コンピュータを上記の各手段として機能させるための色補正プログラム。
【請求項１２】
請求項１１に記載の色補正プログラムを記録したコンピュータ読み取り可能な記録媒体。
【請求項１３】
カラー表示装置のＲ、Ｇ、Ｂの各チャネル毎に、隣接画素の信号レベルがほぼ最大の場合および最小の場合の２種類のＴＲＣ特性が記述されていることを特徴とするＩＣＣプロファイル。
【請求項１４】
カラー表示装置のＲ、Ｇ、Ｂの各チャネル毎に、隣接画素の信号レベルがほぼ最大の場合および最小の場合の２種類のＴＲＣ特性を記述することを特徴とするＩＣＣプロファイルの設定方法。
【請求項１５】
請求項１３に記載のＩＣＣプロファイルを記録したコンピュータ読み取り可能な記録媒体。
【発明の詳細な説明】
【０００１】
【発明の属する技術分野】
本発明は、カラー表示装置において正確な色再現を実現するための色補正装置、色補正方法、色補正プログラムおよびそれを記録したコンピュータ読み取り可能な記録媒体、ＩＣＣプロファイル、ＩＣＣプロファイルの設定方法、ＩＣＣプロファイルを記録したコンピュータ読み取り可能な記録媒体に関するものである。
【０００２】
【従来の技術】
インターネットの普及に伴い、様々なカラー画像をＲＧＢ信号値を基準とした電子データにより扱う機会が増えている。しかし、ＲＧＢ信号値のみを元に任意の表示装置に画像を出力すると、表示装置の特性により、表示画像の色合いが原画像とは異なって見えるという問題が発生する。
【０００３】
この問題を解決する方法の一つに、ＩＣＣ（Ｉｎｔｅｒｎａｔｉｏｎａｌ　Ｃｏｌｏｒ　Ｃｏｎｓｏｒｔｉｕｍ）プロファイルを使用した色補正方法がある。
【０００４】
図１６に示すように、ＩＣＣプロファイルを使用した色補正方法による色補正装置１１２は、入力装置ＴＲＣ（ｔｏｎｅ　ｒｅｐｒｏｄｕｃｔｉｏｎ　ｃｕｒｖｅ）変換部１０１と、入力装置ＲＧＢ→ＸＹＺ変換部１０２と、表示装置ＸＹＺ→ＲＧＢ変換部１０３と、表示装置ＴＲＣ変換部１０４から構成できる。なお、ＩＣＣプロファイルを記述するファイルフォーマットは、ＩＣＣにより定められている。また、カラー表示装置のＩＣＣプロファイルには、ＲＧＢのＴＲＣ特性と、ＲＧＢ信号値をＸＹＺ値に変換するマトリクスが記述されている。
【０００５】
色補正装置１１２は、入力装置ＴＲＣ変換部１０１により、画像データを作成した機器（入力装置１１１）の特性を示すＩＣＣプロファイルに基づいて、ＲＧＢ値で記録された画像データを、画像データを作成した機器のＴＲＣ特性に従って変換した後、入力装置ＲＧＢ→ＸＹＺ変換部１０２により、ＣＩＥ（Ｃｏｍｍｉｓｓｉｏｎ　Ｉｎｔｅｒｎａｔｉｏｎａｌ　ｄｅ　Ｉ’Ｅｃｌａｉｒａｇｅ）が定めるＸＹＺ値の画像データに変換する。
【０００６】
さらに、色補正装置１１２は、表示装置ＸＹＺ→ＲＧＢ変換部１０３により、表示装置１１３のＩＣＣプロファイルに基づいて、ＸＹＺ画像データを表示装置の特性に合わせたＲＧＢ画像データに変換し、表示装置ＴＲＣ変換部１０４により、表示装置１１３の逆ＴＲＣ特性に従って変換して、表示装置１１３に表示させる。
【０００７】
ここで、逆ＴＲＣ特性とは、画素に印加する信号レベルをｘ軸に、画素から出力される輝度レベルをｙ軸にとるＴＲＣ特性に対し、ｘ軸、ｙ軸を逆にした特性である。例えば、表示装置１１３のＴＲＣ特性が図１８である場合、この縦軸と横軸を逆にした、図１９に示す特性を逆ＴＲＣ特性と呼ぶ。
【０００８】
また、ＩＣＣプロファイルに記述されるＴＲＣ特性は、ＲＧＢ各色毎に１つに定められている。そして、ＣＲＴ（Ｃａｔｈｏｄｅ　Ｒａｙ　Ｔｕｂｅ）に代表される従来のカラー表示装置においては、ＴＲＣ特性はほぼ一定である。
【０００９】
そこで、上記色補正装置１１２では、表示装置ＴＲＣ変換部１０４は、例えば図１７に示すように、ＲＧＢそれぞれにＬＵＴ（Ｌｏｏｋ　ｕｐ　Ｔａｂｌｅ）１４０ｒ，１４０ｇ，１４０ｂを設けて構成されている（図１７）。
【００１０】
以上より、色補正装置１１２によれば、表示装置１１３によって異なるＲＧＢ値ではなく、色の絶対値を示すＸＹＺ値を一致させることが可能となり、表示装置１１３の特性を考慮した色補正を行って、正確な色再現が実現できる。ただし、色補正装置１１２は、表示装置１１３のＴＲＣ特性がほぼ一定であることを前提としている。
【００１１】
つづいて、本願発明の説明図である図１５を参照しながら、上記色補正装置１１２を利用した場合の画像表示システム９０について説明する。
【００１２】
画像表示システム９０は、インターネット網９３、それに接続するサーバ９４およびクライアント９１、サーバ９４に内蔵されたハードディスク装置９５、クライアント９１のディスプレイ９２から構成される。画像表示システム９０において、クライアント９１は、インターネット網９３を介して、サーバ９４にある画像データをダウンロードし、ディスプレイ９２に表示する。ここで、クライアント９１は、色補正装置１１２としての機能を備えている。
【００１３】
画像表示システム９０の動作は以下のとおりである。すなわち、最初に、クライアント９１が、画像データのリクエストを、インターネット網９３を経由して、サーバ９４に送信する。次に、サーバ９４が、リクエストされた画像データ９６をハードディスク装置９５から検索し、画像データ９６のＩＣＣプロファイル９７を添付してクライアント９１に送信する。
【００１４】
次に、クライアント９１では、受信した画像データ９６に添付されたＩＣＣプロファイル９７と、クライアント９１であらかじめ保持しているディスプレイ９２のＩＣＣプロファイル９８とに基づいて、クライアント９１内部のＣＰＵまたは専用のグラフィックボード等が色補正装置１１２として色補正を行い、画像データ９６を作成者が意図したものに近い色でディスプレイ９２に表示する。
【００１５】
なお、本願発明に関連する先行技術文献としては、次の特許文献１，２がある。
【００１６】
特許文献１には、クロストークノイズによって色特性が歪んだ液晶表示装置の色再現性を、２次元構造や３次元構造のＬＵＴを用いて改善する液晶表示装置の色補正方法が記載されている。
【００１７】
特許文献２には、プラズマアドレス型液晶表示装置において構造的に発生するクロストークの量を、映像信号の隣接する画素に印加される信号から予測し、補正信号を生成し、これを映像信号と合成することにより、クロストークによる輝度、色度、飽和度の変化を防止し、忠実に輝度と色の再現を行うプラズマアドレス型表示装置のクロストーク補正装置が記載されている。
【００１８】
【特許文献１】
特開２００２−４１０００号公報（公開日：平成１４年２月８日）
【００１９】
【特許文献２】
特開２０００−３２１５５９号公報（公開日：平成１２年１１月２４日）
【００２０】
【発明が解決しようとする課題】
一般に、液晶表示装置では、液晶層を上下二つの電極で挟むように構成し、上下の電極間に印加する電圧を変化させることで階調を実現する。しかし、１画素のサイズは非常に小さいため、隣接した画素に余計な電圧が印加され、階調に影響を与える。その結果、多くのカラー液晶表示装置では、電気的クロストークが発生するため、ＴＲＣ特性が一意に定まらないという問題がある。
【００２１】
図１２を参照しながら、液晶表示装置のＴＲＣ特性について説明する。図１２では、隣接画素の信号レベルが最小の場合のＴＲＣ特性を実線で、最大の場合のＴＲＣ特性を破線で示している。図１２に示すように、隣接画素の信号レベルが最小の場合に比べ、最大の場合では、特に中間調において入力信号レベルに対する実際の出力レベルが大きくなっている。
【００２２】
そのため、表示装置１１３が図１２に示したＴＲＣ特性を持つ場合、隣接画素の信号レベルが最大であるにもかかわらず、実線のＴＲＣ特性を基準として補正を行うと、目標とは大きく異なる色が表示される。例えば、出力レベル０．３を期待して信号レベル０．６５を画素に印加すると、実際に得られる出力レベルは０．４となる。
【００２３】
以上のように、表示装置のＴＲＣ特性がほぼ一定の場合には、１つのＴＲＣ特性に従って変換すれば、十分に色再現性のよい色補正が可能である。しかしながら、表示装置のＴＲＣ特性が一意に決まらない場合には、１つのＴＲＣ特性に従って変換すると、色補正を適切に行うことができない。したがって、液晶表示装置等においては、隣接画素との電気的・光学的クロストークによりＴＲＣ特性が変動するために、ＩＣＣプロファイルによる正確な色再現が困難である。
【００２４】
なお、上述のように、特許文献１には、クロストークの改善のために３Ｄ−ＬＵＴを用いる方法が提案されている。しかし、３Ｄ−ＬＵＴを使用する場合、特許文献１の実施例によれば、最小の場合でも１２ｋバイトのＬＵＴを使用しており、それを超えるメモリ資源が必要であるとともに、１２ｋバイトのＬＵＴを埋めるべく１２０００の多量のデータを作成しなければならない。
【００２５】
また、特許文献２には、プラズマアドレス型表示装置のクロストーク補正装置が記載されている。しかし、これをそのまま液晶表示装置に適用することはできない。すなわち、液晶表示装置では、電極間に存在するのは液晶層のみであるため、電極間に液晶層のほか絶縁層を有するプラズマアドレス型表示装置と比べ、クロストークの影響そのものは小さい。しかし、微小な液晶層に起因するがゆえに、製造工程におけるわずかな誤差によってクロストークの大きさが大きく変動する。例えば、画素に対する電極線の微妙な位置ずれなどもクロストークの大きさを変える重要な要素である。また、液晶の劣化によってもクロストークの大きさは変化する。したがって、あらかじめ固定的にクロストークの影響を制御することが難しい、例えば液晶表示装置のようなカラー表示装置では、ユーザが個別に調整可能な方法が望まれている。
【００２６】
本発明は、上記の問題点を解決するためになされたもので、その目的は、液晶表示装置等の表示装置での表示のために、隣接画素の影響を含めてＴＲＣ特性を補正することができる色補正装置および色補正方法、ならびに、ＩＣＣプロファイルおよびＩＣＣプロファイルの設定方法を提供することにある。また、本発明の目的には、上記色補正装置を実現する色補正プログラムおよびそれを記録したコンピュータ読み取り可能な記録媒体、ならびに、ＩＣＣプロファイルを記録したコンピュータ読み取り可能な記録媒体を提供することも含まれる。
【００２７】
【課題を解決するための手段】
上記の課題を解決するために、本発明の色補正装置は、隣接画素の信号レベルがほぼ一定の基準レベルである場合の補正対象画素のＴＲＣ特性を表す関数Ｆ１を実現する第１の関数手段と、隣接画素の信号が補正対象画素に与える影響を補正対象画素の信号レベルに応じて上記ＴＲＣ特性から取り消す補正量を表す関数Ｆ２を実現する第２の関数手段と、上記の第１の関数手段および第２の関数手段を用いて、補正対象画素の補正前の信号レベル、および、隣接画素の補正前あるいは補正後の信号レベルに基づき、補正対象画素の補正後の信号レベルを得る補正手段と、を具備することを特徴としている。
【００２８】
本発明の色補正装置は、例えば、上記補正手段を、上記補正対象画素の補正前の信号レベルをｃ０、上記隣接画素の補正前あるいは補正後の信号レベルをｄとするとき、Ｆ１（ｃ１）＋Ｆ２（ｃ１）×ｄ＝ｃ０、を満たすように、補正対象画素の補正後の信号レベルｃ１を得るものとして構成できる。
【００２９】
また、本発明の色補正方法は、隣接画素の信号レベルがほぼ一定の基準レベルである場合の補正対象画素のＴＲＣ特性を表す関数をＦ１、隣接画素の信号が補正対象画素に与える影響を補正対象画素の信号レベルに応じて上記ＴＲＣ特性から取り消す補正量を表す関数をＦ２とするとき、上記の関数Ｆ１および関数Ｆ２を用いて、補正対象画素の補正前の信号レベル、および、隣接画素の補正前あるいは補正後の信号レベルに基づき、補正対象画素の補正後の信号レベルを得ることを特徴としている。
【００３０】
本発明の色補正方法は、例えば、上記補正対象画素の補正前の信号レベルをｃ０、上記隣接画素の補正前あるいは補正後の信号レベルをｄとするとき、Ｆ１（ｃ１）＋Ｆ２（ｃ１）×ｄ＝ｃ０、を満たすように、補正対象画素の補正後の信号レベルｃ１を得る方法として構成できる。
【００３１】
上記の構成および方法により、第１の関数Ｆ１は、隣接画素である他の１チャネルの信号レベルがほぼ一定の条件（基準レベル）における補正対象画素のチャネルのＴＲＣ特性を実現する。第２の関数Ｆ２は、隣接画素からのクロストークによるＴＲＣ特性の誤差を計算する。そして、補正手段の関係式によれば、第１の関数Ｆ１から、隣接画素の信号レベルに応じて調整した第２の関数Ｆ２をクロストークによる誤差として取り消し、補正後の信号レベルを得ることができる。
【００３２】
具体的には、クロストークによる誤差を取り消す際、隣接画素の信号レベルが高い場合には補正量を大きくして補正対象画素の信号レベルを低く補正する一方、隣接画素の信号レベルが低い場合には補正量を小さくして補正対象画素の信号レベルを高く補正することができる。
【００３３】
よって、上記の色補正装置および色補正方法によれば、隣接画素間で電気的あるいは光学的なクロストークが隣接する方向によって大きく偏って発生する表示装置について、影響が大きい方の隣接画素の信号レベルの変化に応じてＴＲＣ特性を補正することにより、隣接画素の影響を考慮した最適なＴＲＣ特性を得ることができる。その結果、クロストークの影響を低減して、色再現の精度を向上させることが可能となる。
【００３４】
したがって、例えば液晶表示装置のように、隣接画素との電気的・光学的クロストークによりＴＲＣ特性が変動する場合であっても、ＩＣＣプロファイルによる正確な色再現が可能となる。なお、ＩＣＣプロファイルには、隣接画素の信号レベルがほぼ一定の基準レベル（例えば、最小あるいは最大）である場合のＴＲＣ特性をあらかじめ記述しておく。そして、既存のツールにより作成や書き換えが容易なＩＣＣプロファイルを使用できるため、個体差や経時変化の影響の制御に適している。すなわち、クロストークの影響をあらかじめ固定的に制御することが困難な表示装置であっても、ユーザによって個別に調整することが可能となる。
【００３５】
さらに、第１の関数手段および第２の関数手段は、例えば、あらかじめ設定された演算式に従って演算するように構成することもできるし、あらかじめ設定されたＬＵＴを参照するように構成することもできる。もちろん、一方を演算による構成とし、他方をＬＵＴによる構成とすることも可能である。
【００３６】
このように、上記の構成および方法によれば、第１の関数と第２の関数とを組み合わせるため、両関数をともにＬＵＴで実現したとしても、関数を分けない場合と比べてＬＵＴのデータ量を削減できる。それゆえ、ＬＵＴのサイズを小さくでき、メモリが節約できるとともに、データの作成が容易になる。
【００３７】
さらに、本発明の色補正装置は、上記関数Ｆ１は、隣接画素の信号レベルがほぼ最大またはほぼ最小の場合の補正対象画素のＴＲＣ特性であり、上記関数Ｆ２は、上記２つのＴＲＣ特性の差分であることを特徴としている。
【００３８】
上記の構成により、さらに、第１の関数Ｆ１は、隣接画素である他の１チャネルの信号レベルがほぼ最大またはほぼ最小の場合における補正対象画素のチャネルのＴＲＣ特性を実現する。第２の関数Ｆ２は、隣接画素からのクロストークによるＴＲＣ特性の誤差を計算するために、隣接画素の信号レベルがほぼ最大およびほぼ最小である場合における補正対象画素のチャネルのＴＲＣ特性の差分を実現する。そして、補正手段の関係式によれば、第１の関数Ｆ１から、第２の関数Ｆ２が与える差分を隣接画素の信号レベルに応じて調整した補正量を、クロストークによる誤差として取り消し、補正後の信号レベルを得ることができる。よって、演算式やＬＵＴの作成および実装が容易である。
【００３９】
また、関数Ｆ２は、液晶表示装置の場合、一般に、補正対象画素の信号レベルの２次関数で近似できる。よって、第２の関数手段を近似式である２次関数の演算を行うように構成すれば、演算が容易であり、ハードウェアの演算器としても容易に実現できる。
【００４０】
また、上記の構成では、補正手段の関係式は、隣接画素の信号レベルが最大の場合の補正対象画素のＴＲＣ変換を表す関数をＦｍａｘ、隣接画素の信号レベルが最小の場合の補正対象画素のＴＲＣ変換を表す関数をＦｍｉｎとして、
Ｆｍａｘ（ｃ１）×ｄ＋Ｆｍｉｎ（ｃ１）×（１−ｄ）＝ｃ０
と変形できる。
【００４１】
よって、上記色補正装置は、関数Ｆ１，Ｆ２の代わりに、関数Ｆｍａｘ，Ｆｍｉｎを用いて構成できる。そして、これらの関数Ｆｍａｘ，Ｆｍｉｎも、第１の関数手段および第２の関数手段と同様に、例えば、あらかじめ設定された演算式に従って演算するように構成することもできるし、あらかじめ設定されたＬＵＴを参照するように構成することもできる。もちろん、一方を演算による構成とし、他方をＬＵＴによる構成とすることも可能である。この場合、隣接画素の信号レベルが最大の場合と最小の場合の２種類のＴＲＣ特性をＩＣＣプロファイルファイルに記述する、あるいは各ＴＲＣ特性を記述した２種類のＩＣＣプロファイルファイルを作成し、この２種類のＴＲＣ特性から隣接画素の影響を考慮した適当なＴＲＣ特性を得る。
【００４２】
本発明の色補正装置は、２つの隣接画素の信号レベルがともにほぼ一定の基準レベルである場合の補正対象画素のＴＲＣ特性を表す関数Ｆ１を実現する第１の関数手段と、一方の隣接画素の信号が補正対象画素に与える影響を補正対象画素の信号レベルに応じて上記ＴＲＣ特性から取り消す補正量を表す関数Ｆ２を実現する第２の関数手段と、他方の隣接画素の信号が補正対象画素に与える影響を補正対象画素の信号レベルに応じて上記ＴＲＣ特性から取り消す補正量を表す関数Ｆ３を実現する第３の関数手段と、上記の第１の関数手段、第２の関数手段、および第３の関数手段を用いて、補正対象画素の補正前の信号レベル、および、隣接画素の補正前あるいは補正後の信号レベルに基づき、補正対象画素の補正後の信号レベルを得る補正手段と、を具備することを特徴としている。
【００４３】
本発明の色補正装置は、例えば、上記補正手段を、上記補正対象画素の補正前の信号レベルをｃ０、上記２つの隣接画素の補正前あるいは補正後の信号レベルをそれぞれｄ，ｅとするとき、Ｆ１（ｃ１）＋Ｆ２（ｃ１）×ｄ＋Ｆ３（ｃ１）×ｅ＝ｃ０、を満たすように、補正対象画素の補正後の信号レベルｃ１を得るものとして構成できる。
【００４４】
また、本発明の色補正方法は、２つの隣接画素の信号レベルがともにほぼ一定の基準レベルである場合の補正対象画素のＴＲＣ特性を表す関数をＦ１、一方の隣接画素の信号が補正対象画素に与える影響を補正対象画素の信号レベルに応じて上記ＴＲＣ特性から取り消す補正量を表す関数をＦ２、他方の隣接画素の信号が補正対象画素に与える影響を補正対象画素の信号レベルに応じて上記ＴＲＣ特性から取り消す補正量を表す関数をＦ３とするとき、上記の関数Ｆ１、関数Ｆ２、および関数Ｆ３を用いて、補正対象画素の補正前の信号レベル、および、２つの隣接画素の補正前あるいは補正後の信号レベルに基づき、補正対象画素の補正後の信号レベルを得ることを特徴としている。
【００４５】
本発明の色補正方法は、例えば、上記補正対象画素の補正前の信号レベルをｃ０、上記２つの隣接画素の補正前あるいは補正後の信号レベルをそれぞれｄ，ｅとするとき、Ｆ１（ｃ１）＋Ｆ２（ｃ１）×ｄ＋Ｆ３（ｃ１）×ｅ＝ｃ０、を満たすように、補正対象画素の補正後の信号レベルｃ１を得る方法として構成できる。
【００４６】
上記の構成および方法により、第１の関数Ｆ１は、隣接画素である他の２チャネルの信号レベルがほぼ一定の条件（基準レベル）における補正対象画素のチャネルのＴＲＣ特性を実現する。第２の関数Ｆ２および第３の関数Ｆ３は、両側の隣接画素からのクロストークによるＴＲＣ特性の誤差をそれぞれ計算する。そして、補正手段の関係式によれば、第１の関数Ｆ１から、各隣接画素の信号レベルに応じてそれぞれ調整した第２の関数Ｆ２および第３の関数Ｆ３をクロストークによる誤差として取り消し、補正後の信号レベルを得ることができる。
【００４７】
具体的には、クロストークによる誤差を取り消す際、隣接画素の信号レベルが高い場合には補正量を大きくして補正対象画素の信号レベルを低く補正する一方、隣接画素の信号レベルが低い場合には補正量を小さくして補正対象画素の信号レベルを高く補正することができる。
【００４８】
よって、上記の色補正装置および色補正方法によれば、隣接画素間で電気的あるいは光学的なクロストークが隣接する方向によってあまり偏ることなく発生する表示装置について、両側の隣接画素の信号レベルの変化に応じてＴＲＣ特性を補正することにより、隣接画素の影響を考慮した最適なＴＲＣ特性を得ることができる。その結果、クロストークの影響を低減して、色再現の精度を向上させることが可能となる。
【００４９】
したがって、例えば液晶表示装置のように、隣接画素との電気的・光学的クロストークによりＴＲＣ特性が変動する場合であっても、ＩＣＣプロファイルによる正確な色再現が可能となる。なお、ＩＣＣプロファイルには、隣接画素の信号レベルがほぼ一定の基準レベル（例えば、最小あるいは最大）である場合のＴＲＣ特性をあらかじめ記述しておく。そして、既存のツールにより作成や書き換えが容易なＩＣＣプロファイルを使用できるため、個体差や経時変化の影響の制御に適している。すなわち、クロストークの影響をあらかじめ固定的に制御することが困難な表示装置であっても、ユーザによって個別に調整することが可能となる。
【００５０】
さらに、第１の関数手段、第２の関数手段、第３の関数手段は、例えば、あらかじめ設定された演算式に従って演算するように構成することもできるし、あらかじめ設定されたＬＵＴを参照するように構成することもできる。もちろん、一部の関数手段を演算による構成とし、残りをＬＵＴによる構成とすることも可能である。
【００５１】
このように、上記の構成および方法によれば、３つの関数を組み合わせるため、各関数をすべてＬＵＴで実現したとしても、関数を分けない場合と比べてＬＵＴのデータ量を削減できる。それゆえ、ＬＵＴのサイズを小さくでき、メモリが節約できるとともに、データの作成が容易になる。
【００５２】
さらに、本発明の色補正装置は、上記関数Ｆ１は、２つの隣接画素の信号レベルがほぼ最大またはほぼ最小の場合の補正対象画素のＴＲＣ特性であり、上記関数Ｆ２は、他方の隣接画素の信号レベルがほぼ最小である場合において、一方の隣接画素の信号レベルがほぼ最大およびほぼ最小の場合の補正対象画素のＴＲＣ特性の差分であり、上記関数Ｆ３は、一方の隣接画素の信号レベルがほぼ最小である場合において、他方の隣接画素の信号レベルがほぼ最大およびほぼ最小の場合の補正対象画素のＴＲＣ特性の差分である、ことを特徴としている。
【００５３】
上記の構成により、さらに、第１の関数Ｆ１は、隣接画素である他の２チャネルの信号レベルがともにほぼ最大またはほぼ最小の場合における補正対象画素のチャネルのＴＲＣ特性を実現する。第２の関数Ｆ２および第３の関数Ｆ３は、２つの隣接画素からのクロストークによるＴＲＣ特性の誤差を計算するために、隣接画素の信号レベルがほぼ最大およびほぼ最小である場合における補正対象画素のチャネルのＴＲＣ特性の差分を実現する。そして、補正手段の関係式によれば、第１の関数Ｆ１から、第２の関数Ｆ２および第３の関数Ｆ３が与える差分を隣接画素の信号レベルに応じて調整した補正量を、クロストークによる誤差として取り消し、補正後の信号レベルを得ることができる。よって、演算式やＬＵＴの作成および実装が容易である。
【００５４】
また、関数Ｆ２，Ｆ３は、液晶表示装置の場合、一般に、補正対象画素の信号レベルの２次関数で近似できる。よって、第２の関数手段および第３の関数手段をそれぞれ近似式である２次関数の演算を行うように構成すれば、演算が容易であり、ハードウェアの演算器としても容易に実現できる。
【００５５】
また、上記の構成では、補正手段の関係式は、一方の隣接画素の信号レベルが最大かつ他方の隣接画素の信号レベルが最小の場合の補正対象画素のＴＲＣ変換を表す関数をＦｍａｘ１、他方の隣接画素の信号レベルが最大かつ一方の隣接画素の信号レベルが最小の場合の補正対象画素のＴＲＣ変換を表す関数をＦｍａｘ２、２つの隣接画素の信号レベルが最小の場合の補正対象画素のＴＲＣ変換を表す関数をＦｍｉｎとして、
Ｆｍａｘ１（ｃ１）×ｄ＋Ｆｍａｘ２（ｃ１）×ｅ
＋Ｆｍｉｎ（ｃ１）×（１−ｄ−ｅ）　　　　　＝ｃ０
と変形できる。
【００５６】
よって、上記色補正装置は、関数Ｆ１，Ｆ２，Ｆ３の代わりに、関数Ｆｍａｘ１，Ｆｍａｘ２，Ｆｍｉｎを用いるように構成できる。そして、これらの関数Ｆｍａｘ１，Ｆｍａｘ２，Ｆｍｉｎも、第１の関数手段および第２の関数手段と同様に、例えば、あらかじめ設定された演算式に従って演算するように構成することもできるし、あらかじめ設定されたＬＵＴを参照するように構成することもできる。もちろん、一部を演算による構成とし、残りをＬＵＴによる構成とすることも可能である。この場合、隣接画素の信号レベルが最大の場合と最小の場合の２種類のＴＲＣ特性をＩＣＣプロファイルファイルに記述する、あるいは各ＴＲＣ特性を記述した２種類のＩＣＣプロファイルファイルを作成し、この２種類のＴＲＣ特性から隣接画素の影響を考慮した適当なＴＲＣ特性を得る。
【００５７】
また、本発明の色補正プログラムは、コンピュータを上記の各手段として機能させるコンピュータ・プログラムである。
【００５８】
上記の構成により、コンピュータで上記色補正装置の各手段を実現することによって、上記色補正装置を実現することができる。したがって、クロストークの影響を低減して、色再現の精度を向上させることが可能となる。また、ＬＵＴが占めるメモリ領域を小さくできる。
【００５９】
また、本発明の色補正プログラムを記録したコンピュータ読み取り可能な記録媒体は、上記の各手段をコンピュータに実現させて、上記色補正装置を動作させる色補正プログラムを記録したコンピュータ読み取り可能な記録媒体である。
【００６０】
上記の構成により、上記記録媒体から読み出された色補正プログラムによって、上記色補正装置をコンピュータ上に実現することができる。
【００６１】
本発明のＩＣＣプロファイルは、カラー表示装置のＲ、Ｇ、Ｂの各チャネル毎に、隣接画素の信号レベルがほぼ最大の場合および最小の場合の２種類のＴＲＣ特性が記述されていることを特徴としている。
【００６２】
また、本発明のＩＣＣプロファイルの設定方法は、カラー表示装置のＲ、Ｇ、Ｂの各チャネル毎に、隣接画素の信号レベルがほぼ最大の場合および最小の場合の２種類のＴＲＣ特性を記述することを特徴としている。
【００６３】
また、本発明のＩＣＣプロファイルを記録したコンピュータ読み取り可能な記録媒体は、上記ＩＣＣプロファイルをコンピュータ読み取り可能に記録していることを特徴としている。
【００６４】
上記の構成および方法により、上記ＩＣＣプロファイルには、補正対象画素のＴＲＣ特性が、隣接画素の信号レベルがほぼ最大の場合および最小の場合の２種類、カラー表示装置のＲ、Ｇ、Ｂの各チャネル毎に記述されている。
【００６５】
よって、上記ＩＣＣプロファイルを利用すれば、上述した色補正装置に隣接画素の信号レベルがほぼ最大またはほぼ最小の場合の補正対象画素のＴＲＣ特性（関数Ｆ１）と、最大の場合のＴＲＣ特性と最小の場合のＴＲＣ特性との差分（関数Ｆ２，Ｆ３）とを設定できる。
【００６６】
したがって、上記のようにＴＲＣ特性が設定された色補正装置により、補正手段の関係式に従い、関数Ｆ１から、隣接画素の信号レベルに応じて調整した関数Ｆ２，Ｆ３をクロストークによる誤差として取り消して、補正対象画素の補正後の信号レベルを得ることができる。
【００６７】
なお、上記ＩＣＣプロファイルは、カラー表示装置（ディスプレイ）のメーカやユーザによって設定され、記録媒体に記録される。また、上記ＩＣＣプロファイルは、その利用が上述した色補正装置に限定されず、隣接画素の信号レベルがほぼ最大の場合および最小の場合の２種類のＴＲＣ特性を利用する装置であれば、任意の装置によって利用可能である。
【００６８】
【発明の実施の形態】
本発明の一実施の形態について図１から図１５に基づいて説明すれば、以下のとおりである。
【００６９】
本実施の形態に係る色補正装置１２は、ＩＣＣ（Ｉｎｔｅｒｎａｔｉｏｎａｌ　Ｃｏｌｏｒ　Ｃｏｎｓｏｒｔｉｕｍ）プロファイルを使用した色補正装置である。なお、ＩＣＣプロファイルを記述するファイルフォーマットは、ＩＣＣにより定められている。また、カラー表示装置のＩＣＣプロファイル（後述するディスプレイＩＣＣプロファイル９８（図１５））には、ＲＧＢのＴＲＣ特性と、ＲＧＢ信号値をＸＹＺ値に変換するマトリクスが記述されている。
【００７０】
図２に示すように、色補正装置１２は、画像信号の入力装置１１と、液晶表示装置等の表示装置１３との間に設けられる。なお、色補正装置１２は、表示装置１３の内部や周辺部に一体に設けられていてもよい。また、色補正装置１２は、表示装置１３に接続されたコンピュータに搭載されたＣＰＵやグラフィックボード等の機能として実現されてもよい。
【００７１】
上記色補正装置１２は、入力装置ＴＲＣ（ｔｏｎｅ　ｒｅｐｒｏｄｕｃｔｉｏｎ　ｃｕｒｖｅ）変換部１と、入力装置ＲＧＢ→ＸＹＺ変換部２と、表示装置ＸＹＺ→ＲＧＢ変換部３と、表示装置ＴＲＣ変換部４とを、少なくとも備えて構成されている。
【００７２】
入力装置ＴＲＣ変換部１は、画像データを作成した入力装置１１の特性を示すＩＣＣプロファイルに基づいて、ＲＧＢ値で記録された画像データを入力装置１１を作成した機器のＴＲＣ特性に応じて変換する。
【００７３】
入力装置ＲＧＢ→ＸＹＺ変換部２は、入力装置ＴＲＣ変換部１の出力を、ＣＩＥ（Ｃｏｍｍｉｓｓｉｏｎ　Ｉｎｔｅｒｎａｔｉｏｎａｌ　ｄｅ　Ｉ’Ｅｃｌａｉｒａｇｅ）が定めるＸＹＺ値の画像データに変換する。
【００７４】
表示装置ＸＹＺ→ＲＧＢ変換部３は、表示装置のＩＣＣプロファイルに基づいて、入力装置ＲＧＢ→ＸＹＺ変換部２の出力であるＸＹＺ画像データを、表示装置の特性に合わせたＲＧＢ画像データに変換する。
【００７５】
表示装置ＴＲＣ変換部４は、表示装置ＸＹＺ→ＲＧＢ変換部３の出力を、画像データを表示する表示装置１３の特性を示すＩＣＣプロファイルに基づいて、表示装置１３の逆ＴＲＣ特性に応じて変換する。ここで、逆ＴＲＣ特性とは、画素に印加する信号レベルをｘ軸に、画素から出力される輝度レベルをｙ軸にとるＴＲＣ特性に対し、ｘ軸、ｙ軸を逆にした特性である。すなわち、あるＴＲＣ特性を有する表示装置がある場合、この縦軸と横軸を逆にした特性を、逆ＴＲＣ特性と呼ぶ。
【００７６】
このように、色補正装置１２によれば、画像データを、機器によって異なるＲＧＢ値ではなく色の絶対値を示すＸＹＺ値で一致させることが可能となり、表示装置１３の特性を考慮した正確な色再現が実現できる。
【００７７】
つづいて、表示装置ＴＲＣ変換部４の構成例を説明する。まず、［１］［２］に、隣接画素の信号レベル（基準レベル）が最小あるいは最大の場合のＴＲＣ特性を記述したＩＣＣプロファイルから前記逆ＴＲＣ特性をＬＵＴに記録し、このＬＵＴを参照して、隣接画素の信号レベルの変化に応じたＴＲＣ変換をする場合について説明する。
【００７８】
［１］クロストークによる影響に大きな偏りがある場合
図３、図４、図１を参照しながら、表示装置ＴＲＣ変換部４の第１の構成例として、表示装置ＴＲＣ変換部４Ａを説明する。
【００７９】
図３に示すように、クロストークによる影響に大きな偏りがある場合には、表示装置ＴＲＣ変換部４Ａは、ＲＧＢ各信号に対応したＴＲＣ補正部４０Ａｒ，４０Ａｇ，４０Ａｂにより構成される。ＴＲＣ補正部４０ＡｒにはＲ信号Ｒ２およびＢ信号Ｂ２が、ＴＲＣ補正部４０ＡｇにはＲ信号Ｒ２およびＧ信号Ｇ２が、ＴＲＣ補正部４０ＡｂにはＧ信号Ｇ２およびＢ信号Ｂ２が、それぞれ入力される。ここで、ＴＲＣ補正部４０Ａｒ，４０Ａｇ，４０Ａｂは、構成および動作が同様であるので、以下、ＴＲＣ補正部４０Ａｇを例に説明する。
【００８０】
図４に示すように、ＴＲＣ補正部４０Ａｇは、カウンタ（補正手段）４１、演算器（第２の関数手段）４２、ＬＵＴ（Ｌｏｏｋ　ｕｐ　Ｔａｂｌｅ）（第１の関数手段）４３、乗算器（補正手段）４４、加算器（補正手段）４５、比較演算器（補正手段）４６、スイッチ（補正手段）４７、遅延器（補正手段）４８，４９，５０を備えて構成されている。なお、図４中のＣＬＯＣＫの入力線は、図２および図３では省略されている。
【００８１】
カウンタ４１は、比較演算器４６の出力に応じて増分１でカウントアップした信号ｉを出力する。
【００８２】
演算器４２は、隣接画素の信号レベルが最小の場合の表示装置１３のＴＲＣ特性と、隣接画素の信号レベルが最大の場合の表示装置１３のＴＲＣ特性の差分に近い入出力特性を提供する。例えば、表示装置１３が、図１２に示した２つの特性を持つ場合、この２つの特性の差分は図１３に示す関係となる。これは、近似的には数式（１）で表すことができる。
【００８３】
ｇ（ｘ）＝ａ×（ｘ−ｂ）２　　　　　　　　　　　　　　（１）
ここで、ａ，ｂは任意の定数である。数式（１）は加算器と乗算器で簡単に構成できるが、構成の詳細は省略する。
【００８４】
ＬＵＴ４３は、隣接画素の信号レベルが最小（基準レベル）の場合のＧ信号に対するＴＲＣ変換を実現する。ＴＲＣ変換は、ＴＲＣ特性を実現する変換である。ＴＲＣ特性は、表示装置１３のＩＣＣプロファイルに記述されたＴＲＣ特性から求められ、ＬＵＴ４３に記録されている。なお、ＴＲＣ補正部４０Ａｒの入出力関係は逆ＴＲＣ特性を実現するものであるが、内部に配置したＬＵＴ４３では、通常のＴＲＣ変換を行えばよい。
【００８５】
そして、ＬＵＴ４３は、入力された信号ｉに応じて、先頭からｉ番目のデータを信号ｆｇ（ｉ）として出力する。ここでは、ＬＵＴ４３に記録するＴＲＣ特性のデータ数は、ＲＧＢの各階調数と同じであるとする。
【００８６】
比較演算器４６は、２値を比較し、大きさが等しい場合に“１”を出力する。比較演算器４６の出力は、カウンタ４１のリセットトリガおよびスイッチ４７の切り替えトリガとなる。
【００８７】
スイッチ４７は、比較演算器４６によりトリガが入力されたときのみ、カウンタ４１からの入力値を出力とし、トリガが入力されない場合は同じ値を出力し続ける。
【００８８】
なお、図４に示したＴＲＣ補正部４０Ａｇは、（ＴＲＣ特性のデータ数）＝（ＬＵＴ４３に記述されるデータ数）＝（ＲＧＢ各色の階調数）の条件が成り立つ場合の構成である。ＩＣＣプロファイルに記述されているＴＲＣ特性のデータ数は、ＩＣＣプロファイルの作成者が所定の範囲（例えば、３〜２３２）で自由に設定できる。よって、例えば２４ｂｉｔＲＧＢであれば、ＲＧＢ各色の階調数が２５６階調であるため、ＬＵＴ４３には２５６個のデータ数が記述されている。また、例えば、ＬＵＴ４３のデータ数が１２８であるのに対し、ＲＧＢの階調数が２５６である場合には、演算器４２の前と、信号ｉをＧ信号Ｇ３として出力する前（例えば、遅延器４８の前）に×２の演算を入れることで対応できる。もちろん、演算器４２の前の演算は、演算器４２の係数により吸収できる。以上のことは、後述するＴＲＣ補正部４０Ｂｇ（図６）、ＴＲＣ補正部４０Ｃｇ（図８）、ＴＲＣ補正部４０Ｄｇ（図１０）についても同様である。
【００８９】
次に、図１を用いて、上記ＴＲＣ補正部４０Ａｇにおける処理の流れを説明する。
【００９０】
最初に、ＴＲＣ補正部４０Ａｇはカウンタ４１をクリアする（Ｓ１１）。次に、カウンタ４１の出力値ｉを、演算器４２およびＬＵＴ４３に入力し、それぞれｇ（ｉ），ｆｇ（ｉ）の出力を得る（Ｓ１２）。ここで、ｇ（ｉ）は数式（１）の演算結果を、ｆｇ（ｉ）はＧ信号に対するＴＲＣ変換を示す。
【００９１】
次に、ステップＳ１２で得たｇ（ｉ）に、乗算器４４によりＲ信号Ｒ２を乗算し、さらにｆｇ（ｉ）を加算した数式（２）の演算結果とＧ信号Ｇ２とを比較し（Ｓ１３）、等しくなるまでｉを増加しながら（Ｓ１４）、演算を繰り返す。そして、ステップＳ１３において、数式（２）の演算結果とＧ信号Ｇ２が等しくなったら、そのときのｉを出力Ｇ３とする（Ｓ１５）。
【００９２】
ｙ＝ｆｇ（ｉ）＋ｇ（ｉ）×Ｒ２　　　　　　　　　　　（２）
上記の処理は、ＴＲＣ補正部４０Ａｒ，４０Ａｂについても同様である。すなわち、ＴＲＣ補正部４０Ａｒの場合は、数式（３）の演算結果とＲ信号Ｒ２を比較して、出力Ｒ３を決定する。ここで、ｆｒ（ｉ）はＲ信号に対するＴＲＣ変換を示す。
【００９３】
ｙ＝ｆｒ（ｉ）＋ｇ（ｉ）×Ｂ２　　　　　　　　　　　（３）
また、ＴＲＣ補正部４０Ａｂの場合は、数式（４）の演算結果とＢ信号Ｂ２とを比較して、出力Ｂ３を決定する。ここで、ｆｂ（ｉ）はＢ信号に対するＴＲＣ変換を示す。
【００９４】
ｙ＝ｆｂ（ｉ）＋ｇ（ｉ）×Ｇ２　　　　　　　　　　　（４）
なお、図１では、数式（２）の演算結果とＧ信号Ｇ２が等しくなることを終了条件としているが、これらの２値が完全一致しない場合を考慮して、最も近い２値による補間処理を入れてもよい。
【００９５】
また、上記の説明では、Ｇ信号に対してＲ信号の影響が強く、Ｒ信号に対してはＢ信号、Ｂ信号に対してはＧ信号の影響がそれぞれ強い場合を仮定している。この点、Ｇ信号に対してＢ信号、Ｂ信号に対してＲ信号、Ｒ信号に対してＧ信号の影響が強い場合に適用するために、表示装置ＴＲＣ変換部４Ａを上記とは逆に構成することも可能である。
【００９６】
上記のように、ＴＲＣ補正部４０Ａｒ，４０Ａｇ，４０Ａｂでは、簡単のため隣接画素（Ｒに対するＢ、Ｇに対するＲ、Ｂに対するＧ）の信号値を、演算器４２の出力にそのまま乗算している。しかし、信号値は輝度を示すのに対し、クロストークは主に画素にかかる電圧に起因する。そこで、隣接画素の信号値に対し、液晶に印加する電圧と出力される輝度の関係を示すＶ−Ｔ特性変換を実現するＬＵＴを用意し、隣接画素の信号値に対応する電圧値を、演算器４２の出力に乗算するとさらに高い効果が得られる。このように、隣接画素の信号値をそのまま乗算せず、適宜調節してもよい。
【００９７】
また、ＴＲＣ補正部４０Ａｒ，４０Ａｇ，４０Ａｂでは、簡単のため隣接画素の信号値として、表示装置ＴＲＣ変換前の信号値Ｒ２，Ｇ２，Ｂ２を入力しているが、変換後の信号値Ｒ３，Ｇ３，Ｂ３を入力してもよい。その場合、変換式は数式（２）〜（４）におけるＲ２，Ｇ２，Ｂ２をそれぞれＲ３，Ｇ３，Ｂ３としたものとなる。
【００９８】
以上、［１］では、クロストークの影響に画素の隣接方向による偏りが大きいことを利用して、特に影響が強い片側についてのみ補正する構成について説明した。クロストークの影響に画素の隣接方向による偏りが大きい場合、影響の小さい側は補正する必要がない。例えば、Ｇに対するＲの影響が大きく、Ｒを最大レベルにしたときと最小レベルにしたときでＧの輝度が１．２５倍違うのに対し、Ｂを変えてもＧがほとんど変化しない場合には、Ｂ側の補正はする必要がないので、Ｂ側の補正分の装置構成を小さくできる。液晶ディスプレイにおいては、電極線が画素の境界付近に配置されている場合があり、［１］は、前述のような極端な偏りが発生しやすいことを考慮した構成である。なお、クロストークによる影響の偏りについては、特許文献１でも触れられている。
【００９９】
これに対して、以下、［２］では、クロストークの影響に画素の隣接方向による偏りがあまりなく、両方向のクロストークの影響を考慮した構成について説明する。
【０１００】
［２］クロストークによる影響が左右でそれほど差がない場合
図５から図７を参照しながら、表示装置ＴＲＣ変換部４の第２の構成例として、表示装置ＴＲＣ変換部４Ｂについて説明する。
【０１０１】
図５に示すように、クロストークによる影響に大きな偏りがない場合、すなわち左右両方の影響を考慮しなければならない場合、表示装置ＴＲＣ変換部４Ｂは、ＲＧＢ各信号に対応したＴＲＣ補正部４０Ｂｒ，４０Ｂｇ，４０Ｂｂにより構成される。ＴＲＣ補正部４０Ｂｒ，４０Ｂｇ，４０Ｂｂには、Ｒ信号Ｒ２、Ｇ信号Ｇ２、Ｂ信号Ｂ２がそれぞれ入力される。ここで、ＴＲＣ補正部４０Ｂｒ，４０Ｂｇ，４０Ｂｂは、構成および動作が同様であるので、以下、ＴＲＣ補正部４０Ｂｇを例に説明する。
【０１０２】
図６に示すように、ＴＲＣ補正部４０Ｂｇは、カウンタ（補正手段）４１、演算器（第２の関数手段）４２、ＬＵＴ（第１の関数手段）４３、乗算器（補正手段）４４、加算器（補正手段）５３、比較演算器（補正手段）５４、スイッチ（補正手段）４７、遅延器（補正手段）４８，４９，５０、演算器（第３の関数手段）５１、乗算器（補正手段）５２を備えて構成されている。すなわち、ＴＲＣ補正部４０Ｂｇは、ＴＲＣ補正部４０Ａｇ（図４）と比較して、加算器４５の代わりに加算器５３を設けるとともに、演算器５１および乗算器５２を追加した構成である。なお、図６中のＣＬＯＣＫの入力線は、図５では省略されている。
【０１０３】
演算器５１は、演算器４２と同様に、隣接画素の信号レベルが最小の場合の表示装置１３のＴＲＣ特性と、隣接画素の信号レベルが最大の場合の表示装置１３のＴＲＣ特性の差分に近い入出力特性を提供する。
【０１０４】
すなわち、演算器５１は、Ｇ信号に対するＢ信号のクロストークの影響を補正するために、隣接するＢ画素の信号レベルが最小の場合の表示装置１３のＧ信号ＴＲＣ特性と、隣接するＢ画素の信号レベルが最大の場合の表示装置１３のＧ信号ＴＲＣ特性の差分に近い入出力特性を提供する。また、演算器４２は、Ｇ信号に対するＲ信号のクロストークの影響を補正するために、隣接するＲ画素の信号レベルが最小の場合の表示装置１３のＧ信号ＴＲＣ特性と、隣接するＲ画素の信号レベルが最大の場合の表示装置１３のＧ信号ＴＲＣ特性の差分に近い入出力特性を提供する。
【０１０５】
このように、ＲＧＢ各信号に対応したＴＲＣ補正部４０Ｂｒ，４０Ｂｇ，４０Ｂｂに、それぞれに信号Ｒ２，Ｇ２，Ｂ２を入力する（図５）とともに、演算器５１および乗算器５２を追加した（図６）構成とすることで、両方の隣接画素の影響を考慮した補正が可能となる。
【０１０６】
次に、図７を用いて、上記ＴＲＣ補正部４０Ｂｇにおける処理の流れを説明する。
【０１０７】
最初に、ＴＲＣ補正部４０Ｂｇはカウンタ４１をクリアする（Ｓ２１）。次に、カウンタ４１の出力値ｉを、演算器４２，５１およびＬＵＴ４３に入力し、それぞれｇｒ（ｉ），ｇｂ（ｉ），ｆｇ（ｉ）の出力を得る（Ｓ２２）。ここで、ｇｒ（ｉ）およびｇｂ（ｉ）は数式（１）の演算結果を、ｆｇ（ｉ）はＧ信号に対するＴＲＣ変換を示す。
【０１０８】
次に、ステップＳ２２で得たｇｒ（ｉ）にＲ信号Ｒ２を乗算し、ｇｂ（ｉ）にＢ信号Ｂ２を乗算し、さらに２つの乗算結果にｆｇ（ｉ）を加算した数式（５）の演算結果とＧ信号Ｇ２とを比較し（Ｓ２３）、等しくなるまでｉを増加しながら（Ｓ２４）、演算を繰り返す。そして、ステップＳ２３において、数式（５）の演算結果とＧ信号Ｇ２が等しくなったら、そのときのｉを出力Ｇ３とする（Ｓ２５）。
【０１０９】
ｙ＝ｆｇ（ｉ）＋ｇｒ（ｉ）×Ｒ２＋ｇｂ（ｉ）×Ｂ２　（５）
上記の処理は、ＴＲＣ補正部４０Ｂｒ，４０Ｂｂについても同様である。すなわち、ＴＲＣ補正部４０Ｂｒの場合は、数式（６）の演算結果とＲ信号Ｒ２を比較して、出力Ｒ３を決定する。ここで、ｆｒ（ｉ）はＲ信号に対するＴＲＣ変換を示す。
【０１１０】
ｙ＝ｆｒ（ｉ）＋ｇｇ（ｉ）×Ｇ２＋ｇｂ（ｉ）×Ｂ２　（６）
また、ＴＲＣ補正部４０Ｂｂの場合は、数式（７）の演算結果とＢ信号Ｂ２とを比較して、出力Ｂ３を決定する。ここで、ｆｂ（ｉ）はＢ信号に対するＴＲＣ変換を、ｇｇ（ｉ）は数式（１）の演算結果を示す。
【０１１１】
ｙ＝ｆｂ（ｉ）＋ｇｒ（ｉ）×Ｒ２＋ｇｇ（ｉ）×Ｇ２　（７）
なお、図７では、数式（５）の演算結果とＧ信号Ｇ２が等しくなることを終了条件としているが、これらの２値が完全一致しない場合を考慮して、最も近い２値による補間処理を入れてもよい。
【０１１２】
上記のＴＲＣ補正部４０Ａ，４０Ｂでは、隣接画素の信号レベルが最小の時のＴＲＣ特性を記述したＩＣＣプロファイルファイルからＴＲＣ特性を求め、ＬＵＴ４３に記録する。しかし、ＴＲＣ補正部４０Ａ，４０Ｂの加算器１１を減算器に置き換えることで、隣接画素の信号レベルが最大の時のＴＲＣ特性を記述したＩＣＣプロファイルファイルを使用することもできる。
【０１１３】
また、ＴＲＣ補正部４０Ａ，４０Ｂでは、処理量や構成要素を少なくするために、隣接画素の信号レベルが最大あるいは最小のＴＲＣ特性を実現するＬＵＴ１つに対し、演算器を１つあるいは２つ割り当てて実現している。しかし、任意のＴＲＣ特性に対し、該ＴＲＣ特性と、最大および最小のＴＲＣ特性との差分を出力する演算器を２つあるいは４つ割り当てることでも、同様の効果が得られる。
【０１１４】
また、ＴＲＣ補正部４０Ａ，４０Ｂでは、演算器４２および５１による演算として数式（１）を例に説明したが、さらに精度を高める、あるいは構成を簡略化するために、例えばｘの３次式とするなど、数式（１）以外の演算を行ってもよい。
【０１１５】
［１］と同様、［２］では、簡単のため隣接画素の信号値を、演算器４２および５１の出力にそのまま乗算しているが、隣接画素の信号値をそのまま乗算せず、適宜調節してもよい。また、簡単のため隣接画素の信号値として、表示装置ＴＲＣ変換前の信号値を入力しているが、変換後の信号値を入力してもよい。その場合、変換式は（５）〜（７）式におけるＲ２、Ｂ２、Ｇ２をそれぞれＲ３、Ｂ３、Ｇ３としたものとなる。
【０１１６】
つづいて、［３］［４］に、隣接画素の信号レベルが最大の場合と最小の場合の２種類のＴＲＣ特性を記述したＩＣＣプロファイルファイル１つ、あるいは各ＴＲＣ特性を記述した２種類のＩＣＣプロファイルファイルから、２種類のＴＲＣ特性を持つＬＵＴを参照して、隣接画素の信号レベルの変化に応じたＴＲＣ変換をする場合について説明する。
【０１１７】
［３］クロストークによる影響に大きな偏りがある場合
図３、図８、図９を参照しながら、表示装置ＴＲＣ変換部４の第３の構成例として、表示装置ＴＲＣ変換部４Ｃについて説明する。
【０１１８】
図３に示すように、クロストークによる影響に大きな偏りがある場合には、表示装置ＴＲＣ変換部４Ｃは、ＲＧＢ各信号に対応したＴＲＣ補正部４０Ｃｒ，４０Ｃｇ，４０Ｃｂにより構成される。ＴＲＣ補正部４０ＣｒにはＲ信号Ｒ２およびＢ信号Ｂ２が、ＴＲＣ補正部４０ＣｇにはＲ信号Ｒ２およびＧ信号Ｇ２が、ＴＲＣ補正部４０ＣｂにはＧ信号Ｇ２およびＢ信号Ｂ２が、それぞれ入力される。ここで、ＴＲＣ補正部４０Ｃｒ，４０Ｃｇ，４０Ｃｂは、構成および動作が同様であるので、以下、ＴＲＣ補正部４０Ｃｇを例に説明する。
【０１１９】
図８に示すように、ＴＲＣ補正部４０Ｃｇは、カウンタ（補正手段）４１、ＬＵＴ６１、減算器（補正手段）６２、乗算器（補正手段）６３、加算器（補正手段）６４、ＬＵＴ（第１の関数手段）４３、比較演算器（補正手段）４６、スイッチ（補正手段）４７、遅延器（補正手段）４８，４９，５０を備えて構成されている。すなわち、ＴＲＣ補正部４０Ｃｇは、ＴＲＣ補正部４０Ａｇ（図４）と比較して、演算器４２、乗算器４４、加算器４５の代わりに、ＬＵＴ６１、減算器６２、乗算器６３、加算器６４を設けた構成である。なお、図８中のＣＬＯＣＫの入力線は、図３では省略されている。
【０１２０】
ＬＵＴ６１は、隣接画素の信号レベルが最大の場合の、Ｇ信号に対するＴＲＣ変換を実現する。ＬＵＴ４３は、隣接画素の信号レベルが最小の場合の、Ｇ信号に対するＴＲＣ変換を実現する。例えば、表示装置１３が、図１２に示したＴＲＣ特性を示す場合、ＬＵＴ６１，４３の入出力は、図１４に示す特性に従う。ＴＲＣ変換の特性は、表示装置１３のＩＣＣプロファイルに記述されたＴＲＣ特性から求められ、ＬＵＴ６１，４３に記録されている。
【０１２１】
比較演算器４６は、入力される２値を比較し、等しければ“１”を出力する。比較演算器４６の出力は、カウンタ４１のリセットトリガおよびスイッチ４７の切り替えトリガとなる。
【０１２２】
スイッチ４７は、比較演算器４６によりトリガが入力されたときのみ、カウンタ４１からの入力値を出力とし、トリガが入力されない場合は同じ値を出力し続ける。
【０１２３】
次に、図９を用いて、上記ＴＲＣ補正部４０Ｃｇにおける処理の流れを説明する。
【０１２４】
最初に、ＴＲＣ補正部４０Ｃｇはカウンタ４１をクリアする（Ｓ３１）。次に、カウンタ４１の出力値ｉを、ＬＵＴ６１，４３に入力し、それぞれｆｍａｘｇ（ｉ）、ｆｍｉｎｇ（ｉ）の出力を得る（Ｓ３２）。ここで、ｆｍａｘｇ（ｉ）は隣接画素の信号レベルが最大のときのＧ信号に対するＴＲＣ変換を、ｆｍｉｎｇ（ｉ）は隣接画素の信号レベルが最小のときのＧ信号に対するＴＲＣ変換を示す。
【０１２５】
次に、ステップＳ３２で得たｆｍａｘｇ（ｉ）とｆｍｉｎｇ（ｉ）との差にＲ２を乗算し、さらにｆｍｉｎｇ（ｉ）を加算した数式（８）の演算結果とＧ信号Ｇ２とを比較し（Ｓ３３）、等しくなるまでｉを増加しながら（Ｓ３４）、演算を繰り返す。そして、数式（８）の演算結果とＧ信号Ｇ２が等しくなったら、そのときのｉを出力Ｇ３とする（Ｓ３５）。
【０１２６】
ｙ＝ｆｍａｘｇ（ｉ）×Ｒ２＋ｆｍｉｎｇ（ｉ）×（１−Ｒ２）　（８）
上記の処理は、ＴＲＣ補正部４０Ｃｒ，４０Ｃｂについても同様である。すなわち、ＴＲＣ補正部４０Ｃｒの場合は、数式（９）の演算結果とＲ信号Ｒ２を比較して、出力Ｒ３を決定する。ここで、ｆｍａｘｒ（ｉ）は隣接画素の信号レベルが最大のときのＲ信号に対するＴＲＣ変換を、ｆｍｉｎｒ（ｉ）は隣接画素の信号レベルが最小のときのＲ信号に対するＴＲＣ変換を示す。
【０１２７】
ｙ＝ｆｍａｘｒ（ｉ）×Ｂ２＋ｆｍｉｎｒ（ｉ）×（１−Ｂ２）　（９）
また、ＴＲＣ補正部４０Ｃｂの場合は、数式（１０）の演算結果とＢ信号Ｂ２とを比較して、出力Ｂ３を決定する。ここで、ｆｍａｘｂ（ｉ）は隣接画素の信号レベルが最大のときのＢ信号に対するＴＲＣ変換を、ｆｍｉｎｂ（ｉ）は隣接画素の信号レベルが最小のときのＢ信号に対するＴＲＣ変換を示す。
【０１２８】
ｙ＝ｆｍａｘｂ（ｉ）×Ｇ２＋ｆｍｉｎｂ（ｉ）×（１−Ｇ２）　（１０）
なお、図９では、数式（８）の演算結果とＧ信号Ｇ２が等しくなることを終了条件としているが、これらの２値が完全一致しない場合を考慮して、最も近い２値による補間処理を入れてもよい。
【０１２９】
また、上記の説明では、Ｇ信号に対してＲ信号の影響が強く、Ｒ信号に対してはＢ信号、Ｂ信号に対してはＧ信号の影響がそれぞれ強い場合を仮定している。この点、Ｇ信号に対してＢ信号、Ｂ信号に対してＲ信号、Ｒ信号に対してＧ信号の影響が強い場合に適用するために、表示装置ＴＲＣ変換部４Ｃを上記とは逆に構成することも可能である。
【０１３０】
［１］と同様、［３］では、簡単のため隣接画素の信号値を、減算器６２の出力にそのまま乗算しているが、隣接画素の信号値をそのまま乗算せず、適宜調節してもよい。また、本実施例では簡単のため隣接画素の信号値として、表示装置ＴＲＣ変換前の信号値を入力しているが、変換後の信号値を入力してもよい。その場合、変換式は（８）〜（１０）式におけるＲ２、Ｂ２、Ｇ２をそれぞれＲ３、Ｂ３、Ｇ３としたものとなる。
【０１３１】
［４］クロストークによる影響が左右でそれほど差がない場合
図５、図１０、図１１を参照しながら、表示装置ＴＲＣ変換部４の第４の構成例として、表示装置ＴＲＣ変換部４Ｄについて説明する。
【０１３２】
図５に示すように、クロストークによる影響にそれほど偏りがない場合、すなわち左右両方の影響を考慮しなければならない場合、表示装置ＴＲＣ変換部４Ｄは、ＲＧＢ各信号に対応したＴＲＣ補正部４０Ｄｒ，４０Ｄｇ，４０Ｄｂにより構成される。ＴＲＣ補正部４０Ｄｒ，４０Ｄｇ，４０Ｄｂには、Ｒ信号Ｒ２、Ｇ信号Ｇ２、Ｂ信号Ｄ２がそれぞれ入力される。ここで、ＴＲＣ補正部４０Ｄｒ，４０Ｄｇ，４０Ｄｂは、構成および動作が同様であるので、以下、ＴＲＣ補正部４０Ｄｇを例に説明する。
【０１３３】
図１０に示すように、ＴＲＣ補正部４０Ｄｇは、カウンタ（補正手段）４１、ＬＵＴ６１、減算器（補正手段）６２、乗算器（補正手段）６３、ＬＵＴ（第１の関数手段）４３、ＬＵＴ７１、減算器（補正手段）７２、乗算器（補正手段）７３、加算器（補正手段）７４、比較演算器（補正手段）４６、スイッチ（補正手段）４７、遅延器（補正手段）４８，４９，５０を備えて構成されている。すなわち、ＴＲＣ補正部４０Ｄｇは、ＴＲＣ補正部４０Ｃｇ（図６）と比較して、加算器６４の代わりに加算器７４を設けるとともに、ＬＵＴ７１、減算器７２、乗算器７３を追加した構成である。なお、図１０中のＣＬＯＣＫの入力線は、図５では省略されている。
【０１３４】
ＬＵＴ６１は、隣接画素のＲ信号レベルが最大でＢ信号レベルが最小ときのＧ信号に対するＴＲＣ変換を実現する。ＬＵＴ７１は、隣接画素のＢ信号レベルが最大でＲ信号レベルが最小ときのＧ信号に対するＴＲＣ変換を実現する。ＬＵＴ４３は、両隣接画素のＲ信号およびＢ信号レベルがともに最小のときのＧ信号に対するＴＲＣ変換を実現する。
【０１３５】
このように、ＲＧＢ各信号に対応したＴＲＣ補正部４０Ｄｒ，４０Ｄｇ，４０Ｄｂに、それぞれに信号Ｒ２，Ｇ２，Ｂ２を入力する（図５）とともに、ＬＵＴ７１、減算器７２、乗算器７３を追加した（図１０）構成とすることで、両方の隣接画素の影響を考慮した補正が可能となる。
【０１３６】
次に、図１１を用いて、上記ＴＲＣ補正部４０Ｄｇにおける処理の流れを説明する。
【０１３７】
最初に、ＴＲＣ補正部４０Ｄｇはカウンタ４１をクリアする（Ｓ４１）。次に、カウンタ４１の出力値ｉを、ＬＵＴ６１，４３，７１に入力し、それぞれｆｍａｘｇｒ（ｉ），ｆｍｉｎｇ（ｉ），ｆｍａｘｇｂ（ｉ）の出力を得る（Ｓ４２）。ここで、ｆｍａｘｇｒ（ｉ）はＲ信号が最大でＢ信号が最小ときのＧ信号に対するＴＲＣ変換を、ｆｍｉｎｇ（ｉ）は両隣接画素の信号レベルが最小のときのＧ信号に対するＴＲＣ変換を、ｆｍａｘｇｂ（ｉ）はＢ信号が最大でＲ信号が最小のときのＧ信号に対するＴＲＣ変換を示す。
【０１３８】
次に、ステップＳ４２で得たｆｍａｘｇｒ（ｉ）とｆｍｉｎｇ（ｉ）との差にＲ信号Ｒ２を乗算し、ｆｍａｘｇｂ（ｉ）とｆｍｉｎｇ（ｉ）のと差にＢ信号Ｂ２を乗算し、さらに、これらの２値とｆｍｉｎｇ（ｉ）とを加算した数式（１１）の演算結果とＧ信号Ｇ２とを比較し（Ｓ４３）、等しくなるまでｉを増加しながら（Ｓ４４）、演算を繰り返す。そして、ステップＳ２３において、数式（１１）の演算結果とＧ信号Ｇ２が等しくなったら、そのときのｉを出力Ｇ３とする（Ｓ４５）。
【０１３９】
ｙ＝ｆｍａｘｇｒ（ｉ）×Ｒ２＋ｆｍａｘｇｂ（ｉ）×Ｂ２
＋ｆｍｉｎｇ（ｉ）×（１−Ｒ２−Ｂ２）　　　　　　（１１）
上記の処理は、ＴＲＣ補正部４０Ｄｒ，４０Ｄｂについても同様である。すなわち、ＴＲＣ補正部４０Ｄｒの場合は、数式（１２）の演算結果とＲ信号Ｒ２とを比較して、出力Ｒ３を決定する。ここで、数式（１２）におけるｆｍａｘｒｇ（ｉ）はＧ信号が最大でＢ信号が最小の場合のＲ信号のＴＲＣ特性を、ｆｍａｘｒｂ（ｉ）はＢ信号が最大でＧ信号が最小の場合のＲ信号のＴＲＣ特性を、ｆｍｉｎｒ（ｉ）は両隣接画素の信号レベルが最小の場合のＲ信号のＴＲＣ特性を示す。
【０１４０】
ｙ＝ｆｍａｘｒｇ（ｉ）×Ｇ２＋ｆｍａｘｒｂ（ｉ）×Ｂ２
＋ｆｍｉｎｒ（ｉ）×（１−Ｇ２−Ｂ２）　　　　　　（１２）
また、ＴＲＣ補正部４０Ｄｂの場合は、数式（１３）の演算結果とＢ信号Ｂ２とを比較して、出力Ｂ３を決定する。ここで、式（１３）におけるｆｍａｘｂｒ（ｉ）はＲ信号が最大でＧ信号が最小の場合のＢ信号のＴＲＣ特性を、ｆｍａｘｂｇ（ｉ）はＧ信号が最大でＲ信号が最小の場合のＢ信号のＴＲＣ特性を、ｆｍｉｎｂ（ｉ）は両隣接画素の信号レベルが最小の場合のＢ信号のＴＲＣ特性を示す。
【０１４１】
ｙ＝ｆｍａｘｂｒ（ｉ）×Ｒ２＋ｆｍａｘｂｇ（ｉ）×Ｇ２
＋ｆｍｉｎｂ（ｉ）×（１−Ｒ２−Ｇ２）　　　　　　（１３）
なお、図１１では、数式（１１）の演算結果とＧ信号Ｇ２が等しくなることを終了条件としているが、これらの２値が完全一致しない場合を考慮して、最も近い２値による補間処理を入れてもよい。
【０１４２】
［１］と同様、［４］では、簡単のため隣接画素の信号値を、減算器６２および７２の出力にそのまま乗算しているが、隣接画素の信号値をそのまま乗算せず、適宜調節してもよい。また、簡単のため隣接画素の信号値として、表示装置ＴＲＣ変換前の信号値を入力しているが、変換後の信号値を入力してもよい。その場合、変換式は（１１）〜（１３）式におけるＲ２、Ｂ２、Ｇ２をそれぞれＲ３、Ｂ３、Ｇ３としたものとなる。
【０１４３】
以上のように、［１］〜［４］で説明した表示装置ＴＲＣ変換部４Ａ〜４Ｄによれば、隣接画素の影響を考慮した補正を行うことができる。よって、カラー液晶表示装置におけるクロストークによるＴＲＣ特性変動の影響を軽減し、カラーマネジメントシステムによる色再現の精度を向上させることができる。さらに、従来の手法に比較し、ＬＵＴサイズを小さくすることができ、メモリが節約できるとともに、ＬＵＴに記述されるデータが少なくなるため、データの作成が容易になる。
【０１４４】
また、［１］〜［４］では、ＬＵＴ４３，６１，７１に記録するＴＲＣ特性のデータ数がＲＧＢ各階調数と同じ場合について説明したが、これらのデータ数および階調数は任意に設定できる。具体的には、例えば、演算器４２の前と、遅延器４８の前からＧ３出力までの間に、階調数／データ数を乗算する演算器を入れることで、任意のデータ数、階調数に対応可能である。
【０１４５】
つぎに、図１５を参照しながら、表示装置ＴＲＣ変換部４Ａ〜４Ｄのいずれかを含む色補正装置１２を利用した画像表示システム９０について説明する。
【０１４６】
画像表示システム９０は、インターネット網９３、それに接続するサーバ９４およびクライアント９１、サーバ９４に内蔵されたハードディスク装置９５、クライアント９１のディスプレイ９２から構成される。画像表示システム９０において、クライアント９１は、インターネット網９３を介して、サーバ９４にある画像データをダウンロードし、ディスプレイ９２に表示する。ここで、クライアント９１は、色補正装置１２としての機能を備えている。
【０１４７】
画像表示システム９０の動作は以下のとおりである。すなわち、最初に、クライアント９１が、画像データのリクエストを、インターネット網９３を経由して、サーバ９４に送信する。次に、サーバ９４が、リクエストされた画像データ９６をハードディスク装置９５から検索し、画像データ９６のＩＣＣプロファイル９７を添付してクライアント９１に送信する。
【０１４８】
次に、クライアント９１では、受信した画像データ９６に添付されたＩＣＣプロファイル９７と、クライアント９１であらかじめ保持しているディスプレイ９２用のディスプレイＩＣＣプロファイル９８とに基づいて、クライアント９１内部のＣＰＵまたは専用のグラフィックボード等が色補正装置１２として、本実施の形態において上述した色補正を行い、画像データ９６を作成者が意図したものに近い色でディスプレイ９２に表示する。なお、ディスプレイＩＣＣプロファイル９８には、ＲＧＢのＴＲＣ特性と、ＲＧＢ信号値をＸＹＺ値に変換するマトリクスが記述されている。
【０１４９】
なお、本実施の形態では、［１］において、ＴＲＣ補正部４０Ａｒ，４０Ａｇ，４０Ａｂ（図４）をハードウェアで構成する場合について説明したが、ソフトウェアで実現してもよい。ソフトウェアで実現する場合も、処理の流れは図１のフローチャートで表される。また、［２］において、ＴＲＣ補正部４０Ｂｒ，４０Ｂｇ，４０Ｂｂ（図６）をハードウェアで構成する場合について説明したが、ソフトウェアで実現してもよい。ソフトウェアで実現する場合も、処理の流れは図７のフローチャートで表される。また、［３］において、ＴＲＣ補正部４０Ｃｒ，４０Ｃｇ，４０Ｃｂ（図８）をハードウェアで構成する場合について説明したが、ソフトウェアで実現してもよい。ソフトウェアで実現する場合も、処理の流れは図９のフローチャートで表される。また、［４］において、ＴＲＣ補正部４０Ｄｒ，４０Ｄｇ，４０Ｄｂ（図１０）をハードウェアで構成する場合について説明したが、ソフトウェアで実現してもよい。ソフトウェアで実現する場合も、処理の流れは図１１のフローチャートで表される。なお、［１］〜［４］において、ＴＲＣ補正部４０Ａ〜４０Ｄをハードウェアで構成する場合、上記処理を行うものであれば適宜変更可能である。
【０１５０】
また、色補正装置１２は、上記ＲＡＭ等により、ディスプレイＩＣＣプロファイル９８を記録媒体等から取得して、ＴＲＣ特性をＴＲＣ補正部４０Ａ〜４０Ｄに設定する機能を有する。
【０１５１】
さらに、色補正装置１２の各ブロックは、以下のようにＣＰＵを用いてソフトウェアによって実現してもよい。
【０１５２】
すなわち、色補正装置１２は、各機能を実現する色補正プログラムの命令を実行するＣＰＵ（ｃｅｎｔｒａｌ　ｐｒｏｃｅｓｓｉｎｇ　ｕｎｉｔ　）、上記プログラムを格納したＲＯＭ（ｒｅａｄ　ｏｎｌｙ　ｍｅｍｏｒｙ）、上記プログラムを展開するＲＡＭ（ｒａｎｄｏｍ　ａｃｃｅｓｓ　ｍｅｍｏｒｙ）、上記プログラムおよび各種データを格納するメモリ等の記憶装置（記録媒体）などを備えている。そして、本発明の目的は、上述した機能を実現するソフトウェアである色補正プログラムのプログラムコード（実行形式プログラム、中間コードプログラム、ソースプログラム）をコンピュータで読み取り可能に記録した記録媒体を、上記色補正装置１２に供給し、そのコンピュータ（またはＣＰＵやＭＰＵ）が記録媒体に記録されているプログラムコードを読み出し実行することによっても、達成可能である。この場合、記録媒体から読み出されたプログラムコード自体が上述した機能を実現することになり、そのプログラムコードを記録した記録媒体は本発明を構成することになる。同様に、ディスプレイＩＣＣプロファイル９８を記録した記録媒体は本発明を構成することになる。
【０１５３】
よって、本明細書において、手段とは必ずしも物理的手段を意味するものではなく、各手段の機能がソフトウェアによって実現される場合も包含する。さらに、一つの手段の機能が、二つ以上の物理的手段により実現されても、もしくは、二つ以上の手段の機能が、一つの物理的手段により実現されてもよい。
【０１５４】
上記プログラムコードおよびディスプレイＩＣＣプロファイル（以下、「プログラムコード等」と記す。）を供給するための記録媒体は、システムあるいは装置と分離可能に構成することができる。また、上記記録媒体は、プログラムコード等を供給可能であるように固定的に担持する媒体であってもよい。そして、上記記録媒体は、記録したプログラムコード等をコンピュータが直接読み取ることができるようにシステムあるいは装置に装着されるものであっても、外部記憶装置としてシステムあるいは装置に接続されたプログラム読み取り装置を介して読み取ることができるように装着されるものであってもよい。
【０１５５】
例えば、上記記録媒体としては、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５６】
また、上記プログラムコード等は、コンピュータが記録媒体から読み出して直接実行できるように記録されていてもよいし、記録媒体から主記憶のプログラム記憶領域へ転送された後コンピュータが主記憶から読み出して実行できるように記録されていてもよい。
【０１５７】
さらに、システムあるいは装置を通信ネットワークと接続可能に構成し、上記プログラムコード等を通信ネットワークを介して供給してもよい。そして、通信ネットワークとしては、特に限定されず、具体的には、インターネット、イントラネット、エキストラネット、ＬＡＮ、ＩＳＤＮ、ＶＡＮ、ＣＡＴＶ通信網、仮想専用網（ｖｉｒｔｕａｌ　ｐｒｉｖａｔｅ　ｎｅｔｗｏｒｋ）、電話回線網、移動体通信網、衛星通信網等が利用可能である。また、通信ネットワークを構成する伝送媒体としては、特に限定されず、具体的には、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ、８０２．１１無線、ＨＤＲ、携帯電話網、衛星回線、地上波デジタル網等の無線でも利用可能である。なお、プログラムコード等を記録媒体から読み出して主記憶に格納するためのプログラム、および、通信ネットワークからプログラムコードをダウンロードするためのプログラムは、コンピュータによって実行可能にあらかじめシステムあるいは装置に格納されているものとする。
【０１５８】
上述した機能は、コンピュータが読み出した上記プログラムコードを実行することによって実現されるだけでなく、そのプログラムコードの指示に基づき、コンピュータ上で稼働しているＯＳなどが実際の処理の一部または全部を行うことによっても実現される。
【０１５９】
さらに、上述した機能は、上記記録媒体から読み出された上記プログラムコード等が、コンピュータに装着された機能拡張ボードやコンピュータに接続された機能拡張ユニットに備わるメモリに書込まれた後、そのプログラムコード等の指示に基づき、その機能拡張ボードや機能拡張ユニットに備わるＣＰＵなどが実際の処理の一部または全部を行うことによっても実現される。
【０１６０】
本実施の形態に係る色補正方法（カラーマッチング方法）は、隣接画素間で、少なくとも電気的あるいは光学的いずれかのクロストークが発生する表示装置に対し、隣接画素の信号レベルが高い場合は、隣接画素の信号レベルが低い場合に比較して、補正対象の画素の信号レベルを低くすることで該表示装置のクロストークの影響を低減する色補正方法であって、前記補正対象の画素の信号レベルを、隣接画素の信号レベルがほぼ一定の場合の該補正対象画素のＴＲＣ特性と、所定の関数による演算結果との和または差によって決定する方法であってもよい。
【０１６１】
さらに、上記色補正方法は、前記所定の関数が、補正対象画素の信号レベルの２次関数であってもよい。
【０１６２】
さらに、上記色補正方法は、前記ＴＲＣ特性が、隣接画素の信号レベルがほぼ最大またはほぼ最小の場合の該補正対象画素のＴＲＣ特性であってもよい。
【０１６３】
本実施の形態に係る色補正方法は、隣接画素間で、少なくとも電気的あるいは光学的いずれかのクロストークが発生する表示装置に対し、隣接画素の信号レベルが高い場合は、隣接画素の信号レベルが低い場合に比較して、補正対象の画素の信号レベルを低くすることで該表示装置のクロストークの影響を低減する色補正方法であって、前記補正対象の画素の信号レベルは、隣接画素の信号レベルの異なる、少なくとも２通りの該補正対象画素のＴＲＣ特性により決定する方法であってもよい。
【０１６４】
さらに、上記色補正方法は、前記少なくとも２通りのＴＲＣ特性は、隣接画素の信号レベルがほぼ最大の場合およびほぼ最小の場合の２種類のＴＲＣ特性であってもよい。
【０１６５】
本実施の形態に係る色補正装置（カラーマネジメントシステム）は、上記色補正方法を用いたものである。
【０１６６】
本実施の形態に係るＩＣＣプロファイルの設定方法は、カラー表示装置のＲ、Ｇ、Ｂの各チャネル毎に、前記隣接画素の信号レベルがほぼ最大の場合およびほぼ最小の場合の２種類のＴＲＣ特性を記述する方法であってもよい。
【０１６７】
本実施の形態に係る色補正装置は、隣接画素間で、少なくとも電気的あるいは光学的いずれかのクロストークが発生する表示装置に対する色補正装置であって、表示装置の特性に従ったＲ，Ｇ，Ｂの各チャネル毎のＴＲＣ変換を行うＴＲＣ補正手段を有し、前記ＴＲＣ補正手段は、他の１チャネルまたは２チャネルの信号レベルがほぼ一定の条件における補正対象チャネルのＴＲＣ特性を実現するＬＵＴと、クロストークによるＴＲＣ特性の誤差を計算する演算器とを有して構成されていてもよい。
【０１６８】
さらに、上記色補正装置は、前記演算器が、前記補正対象チャネルの信号レベルの２次演算を実現するものであってもよい。
【０１６９】
さらに、上記色補正装置は、前記ＴＲＣ特性が、他の１チャネルまたは２チャネルの信号レベルがほぼ最大またはほぼ最小であってもよい。
【０１７０】
本実施の形態に係る色補正装置は、隣接画素間で、少なくとも電気的あるいは光学的いずれかのクロストークが発生する表示装置に対する色補正装置であって、Ｒ，Ｇ，Ｂの各チャネル毎に表示装置の特性に従ったＴＲＣ変換を行うＴＲＣ補正手段を有し、前記ＴＲＣ補正手段は、他の１チャネルまたは２チャネルの信号レベルがほぼ最大の条件における補正対象チャネルのＴＲＣ特性を実現する第一のＬＵＴと、他の１チャネルまたは２チャネルの信号レベルがほぼ最小の条件における補正対象チャネルのＴＲＣ特性を実現する第二のＬＵＴとを有する構成であってもよい。
【０１７１】
さらに、上記色補正装置は、前記ＴＲＣ補正手段は、前記２つのＬＵＴ出力の差分と隣接画素の信号レベルの積を、前記第二のＬＵＴ出力に加算した値を出力とするものであってもよい。
【０１７２】
【発明の効果】
以上のように、本発明の色補正装置は、隣接画素の信号レベルがほぼ一定の基準レベルである場合の補正対象画素のＴＲＣ特性を表す関数Ｆ１を実現する第１の関数手段と、隣接画素の信号が補正対象画素に与える影響を補正対象画素の信号レベルに応じて上記ＴＲＣ特性から取り消す補正量を表す関数Ｆ２を実現する第２の関数手段と、上記の第１の関数手段および第２の関数手段を用いて、補正対象画素の補正前の信号レベル、および、隣接画素の補正前あるいは補正後の信号レベルに基づき、補正対象画素の補正後の信号レベルを得る補正手段と、を具備する構成である。
【０１７３】
本発明の色補正装置は、例えば、上記補正手段を、上記補正対象画素の補正前の信号レベルをｃ０、上記隣接画素の補正前あるいは補正後の信号レベルをｄとするとき、Ｆ１（ｃ１）＋Ｆ２（ｃ１）×ｄ＝ｃ０、を満たすように、補正対象画素の補正後の信号レベルｃ１を得るものとして構成できる。
【０１７４】
また、本発明の色補正方法は、隣接画素の信号レベルがほぼ一定の基準レベルである場合の補正対象画素のＴＲＣ特性を表す関数をＦ１、隣接画素の信号が補正対象画素に与える影響を補正対象画素の信号レベルに応じて上記ＴＲＣ特性から取り消す補正量を表す関数をＦ２とするとき、上記の関数Ｆ１および関数Ｆ２を用いて、補正対象画素の補正前の信号レベル、および、隣接画素の補正前あるいは補正後の信号レベルに基づき、補正対象画素の補正後の信号レベルを得る方法である。
【０１７５】
本発明の色補正方法は、例えば、上記補正対象画素の補正前の信号レベルをｃ０、上記隣接画素の補正前あるいは補正後の信号レベルをｄとするとき、Ｆ１（ｃ１）＋Ｆ２（ｃ１）×ｄ＝ｃ０、を満たすように、補正対象画素の補正後の信号レベルｃ１を得る方法として構成できる。
【０１７６】
それゆえ、上記の色補正装置および色補正方法によれば、隣接画素間で電気的あるいは光学的なクロストークが隣接する方向によって大きく偏って発生する表示装置について、影響が大きい方の隣接画素の信号レベルの変化に応じてＴＲＣ特性を補正することにより、隣接画素の影響を考慮した最適なＴＲＣ特性を得ることができる。その結果、クロストークの影響を低減して、色再現の精度を向上させることが可能となる。
【０１７７】
したがって、例えば液晶表示装置のように、隣接画素との電気的・光学的クロストークによりＴＲＣ特性が変動する場合であっても、ＩＣＣプロファイルによる正確な色再現が可能となる。そして、既存のツールにより作成や書き換えが容易なＩＣＣプロファイルを使用できるため、個体差や経時変化の影響の制御に適している。すなわち、クロストークの影響をあらかじめ固定的に制御することが困難な表示装置であっても、ユーザによって個別に調整することが可能となるという効果を奏する。また、ＬＵＴのサイズを小さくでき、メモリが節約できるとともに、データの作成が容易になるという効果を奏する。
【０１７８】
さらに、本発明の色補正装置は、上記関数Ｆ１は、隣接画素の信号レベルがほぼ最大またはほぼ最小の場合の補正対象画素のＴＲＣ特性であり、上記関数Ｆ２は、上記２つのＴＲＣ特性の差分である構成である。
【０１７９】
それゆえ、さらに、演算式やＬＵＴの作成および実装が容易であるという効果を奏する。
【０１８０】
本発明の色補正装置は、２つの隣接画素の信号レベルがともにほぼ一定の基準レベルである場合の補正対象画素のＴＲＣ特性を表す関数Ｆ１を実現する第１の関数手段と、一方の隣接画素の信号が補正対象画素に与える影響を補正対象画素の信号レベルに応じて上記ＴＲＣ特性から取り消す補正量を表す関数Ｆ２を実現する第２の関数手段と、他方の隣接画素の信号が補正対象画素に与える影響を補正対象画素の信号レベルに応じて上記ＴＲＣ特性から取り消す補正量を表す関数Ｆ３を実現する第３の関数手段と、上記の第１の関数手段、第２の関数手段、および第３の関数手段を用いて、補正対象画素の補正前の信号レベル、および、隣接画素の補正前あるいは補正後の信号レベルに基づき、補正対象画素の補正後の信号レベルを得る補正手段と、を具備する構成である。
【０１８１】
本発明の色補正装置は、例えば、上記補正手段を、上記補正対象画素の補正前の信号レベルをｃ０、上記２つの隣接画素の補正前あるいは補正後の信号レベルをそれぞれｄ，ｅとするとき、Ｆ１（ｃ１）＋Ｆ２（ｃ１）×ｄ＋Ｆ３（ｃ１）×ｅ＝ｃ０、を満たすように、補正対象画素の補正後の信号レベルｃ１を得るものとして構成できる。
【０１８２】
また、本発明の色補正方法は、２つの隣接画素の信号レベルがともにほぼ一定の基準レベルである場合の補正対象画素のＴＲＣ特性を表す関数をＦ１、一方の隣接画素の信号が補正対象画素に与える影響を補正対象画素の信号レベルに応じて上記ＴＲＣ特性から取り消す補正量を表す関数をＦ２、他方の隣接画素の信号が補正対象画素に与える影響を補正対象画素の信号レベルに応じて上記ＴＲＣ特性から取り消す補正量を表す関数をＦ３とするとき、上記の関数Ｆ１、関数Ｆ２、および関数Ｆ３を用いて、補正対象画素の補正前の信号レベル、および、２つの隣接画素の補正前あるいは補正後の信号レベルに基づき、補正対象画素の補正後の信号レベルを得る方法である。
【０１８３】
本発明の色補正方法は、例えば、上記補正対象画素の補正前の信号レベルをｃ０、上記２つの隣接画素の補正前あるいは補正後の信号レベルをそれぞれｄ，ｅとするとき、Ｆ１（ｃ１）＋Ｆ２（ｃ１）×ｄ＋Ｆ３（ｃ１）×ｅ＝ｃ０、を満たすように、補正対象画素の補正後の信号レベルｃ１を得る方法として構成できる。
【０１８４】
それゆえ、上記の色補正装置および色補正方法によれば、隣接画素間で電気的あるいは光学的なクロストークが隣接する方向によってあまり偏ることなく発生する表示装置について、両側の隣接画素の信号レベルの変化に応じてＴＲＣ特性を補正することにより、隣接画素の影響を考慮した最適なＴＲＣ特性を得ることができる。その結果、クロストークの影響を低減して、色再現の精度を向上させることが可能となる。
【０１８５】
したがって、例えば液晶表示装置のように、隣接画素との電気的・光学的クロストークによりＴＲＣ特性が変動する場合であっても、ＩＣＣプロファイルによる正確な色再現が可能となる。そして、既存のツールにより作成や書き換えが容易なＩＣＣプロファイルを使用できるため、個体差や経時変化の影響の制御に適している。すなわち、クロストークの影響をあらかじめ固定的に制御することが困難な表示装置であっても、ユーザによって個別に調整することが可能となるという効果を奏する。また、ＬＵＴのサイズを小さくでき、メモリが節約できるとともに、データの作成が容易になるという効果を奏する。
【０１８６】
さらに、本発明の色補正装置は、上記関数Ｆ１は、２つの隣接画素の信号レベルがほぼ最大またはほぼ最小の場合の補正対象画素のＴＲＣ特性であり、上記関数Ｆ２は、他方の隣接画素の信号レベルがほぼ最小である場合において、一方の隣接画素の信号レベルがほぼ最大およびほぼ最小の場合の補正対象画素のＴＲＣ特性の差分であり、上記関数Ｆ３は、一方の隣接画素の信号レベルがほぼ最小である場合において、他方の隣接画素の信号レベルがほぼ最大およびほぼ最小の場合の補正対象画素のＴＲＣ特性の差分である構成である。
【０１８７】
それゆえ、さらに、演算式やＬＵＴの作成および実装が容易であるという効果を奏する。
【０１８８】
また、本発明の色補正プログラムは、コンピュータを上記の各手段として機能させるコンピュータ・プログラムである。
【０１８９】
それゆえ、コンピュータで上記色補正装置の各手段を実現することによって、上記色補正装置を実現することができる。したがって、クロストークの影響を低減して、色再現の精度を向上させることが可能となるという効果を奏する。また、ＬＵＴが占めるメモリ領域を小さくできるという効果を奏する。
【０１９０】
また、本発明の色補正プログラムを記録したコンピュータ読み取り可能な記録媒体は、上記の各手段をコンピュータに実現させて、上記色補正装置を動作させる色補正プログラムを記録したコンピュータ読み取り可能な記録媒体である。
【０１９１】
それゆえ、上記記録媒体から読み出された色補正プログラムによって、上記色補正装置をコンピュータ上に実現することができる。
【０１９２】
本発明のＩＣＣプロファイルは、カラー表示装置のＲ、Ｇ、Ｂの各チャネル毎に、隣接画素の信号レベルがほぼ最大の場合および最小の場合の２種類のＴＲＣ特性が記述されている構成である。
【０１９３】
また、本発明のＩＣＣプロファイルの設定方法は、カラー表示装置のＲ、Ｇ、Ｂの各チャネル毎に、隣接画素の信号レベルがほぼ最大の場合および最小の場合の２種類のＴＲＣ特性を記述する方法である。
【０１９４】
また、本発明のＩＣＣプロファイルを記録したコンピュータ読み取り可能な記録媒体は、上記ＩＣＣプロファイルをコンピュータ読み取り可能に記録している記録媒体である。
【０１９５】
それゆえ、上記ＩＣＣプロファイルを利用すれば、上述した色補正装置に隣接画素の信号レベルがほぼ最大またはほぼ最小の場合の補正対象画素のＴＲＣ特性（関数Ｆ１）と、最大の場合のＴＲＣ特性と最小の場合のＴＲＣ特性との差分（関数Ｆ２，Ｆ３）とを設定できる。
【０１９６】
したがって、上記のようにＴＲＣ特性が設定された色補正装置により、補正手段の関係式に従い、関数Ｆ１から、隣接画素の信号レベルに応じて調整した関数Ｆ２，Ｆ３をクロストークによる誤差として取り消して、補正対象画素の補正後の信号レベルを得ることができるという効果を奏する。
【図面の簡単な説明】
【図１】図４に示したＴＲＣ補正部におけるＴＲＣ補正処理の概略を示すフローチャートである。
【図２】本発明の一実施の形態に係る色補正装置の構成の概略を示す機能ブロック図である。
【図３】図２に示した色補正装置が備える表示装置ＴＲＣ変換部の一構成の概略を示す機能ブロック図である。
【図４】図３に示した表示装置ＴＲＣ変換部が備えるＴＲＣ補正部の一構成の概略を示すブロック図である。
【図５】図２に示した色補正装置が備える表示装置ＴＲＣ変換部の他の構成の概略を示す機能ブロック図である。
【図６】図５に示した表示装置ＴＲＣ変換部が備えるＴＲＣ補正部の一構成の概略を示すブロック図である。
【図７】図６に示したＴＲＣ補正部におけるＴＲＣ補正処理の概略を示すフローチャートである。
【図８】図３に示した表示装置ＴＲＣ変換部が備えるＴＲＣ補正部の他の構成の概略を示すブロック図である。
【図９】図８に示したＴＲＣ補正部におけるＴＲＣ補正処理の概略を示すフローチャートである。
【図１０】図５に示した表示装置ＴＲＣ変換部が備えるＴＲＣ補正部の他の構成の概略を示すブロック図である。
【図１１】図１０に示したＴＲＣ補正部におけるＴＲＣ補正処理の概略を示すフローチャートである。
【図１２】隣接画素の影響によるＴＲＣ特性の変化の一例を示すグラフである。
【図１３】図１２に示した２つのＴＲＣ特性の差分を示すグラフである。
【図１４】図１２に示したＴＲＣ特性の逆特性を示すグラフである。
【図１５】図２に示した色補正装置を利用した画像表示システムの概略を示す説明図である。
【図１６】従来の技術に係る色補正装置の構成の概略を示す機能ブロック図である。
【図１７】図１６に示した色補正装置が備える表示装置ＴＲＣ変換部の構成の概略を示す機能ブロック図である。
【図１８】ＩＣＣプロファイルに記述されたＴＲＣ特性の一例を示すグラフである。
【図１９】図１８に示したＴＲＣ特性の逆特性を示すグラフである。
【符号の説明】
１２　　色補正装置
４１　　カウンタ（補正手段）
４２　　演算器（第２の関数手段）
４３　　ＬＵＴ（第１の関数手段）
４４，５２，６３，７３　　乗算器（補正手段）
４５，５３，６４，７４　　加算器（補正手段）
４６　　比較演算器（補正手段）
４７　　スイッチ（補正手段）
４８，４９，５０　　遅延器（補正手段）
５１　　演算器（第３の関数手段）
６２，７２　　減算器（補正手段）
９８　　ディスプレイＩＣＣプロファイル（ＩＣＣプロファイル）
ｆｇ，ｆｍｉｎｇ，ｆｍａｘｇ　　第１の関数（Ｆ１）
ｇ，ｇｒ　　　　第２の関数（Ｆ２）
ｇｂ　　　　第３の関数（Ｆ３）
Ｒ２，Ｇ２，Ｂ２　　補正前の信号レベル（ｃ０，ｄ，ｅ）
Ｒ３，Ｇ３，Ｂ３　　補正後の信号レベル（ｃ１）
【図１】
2004138916.tif 000003
【図２】
2004138916.tif 000004
【図３】
2004138916.tif 000005
【図４】
2004138916.tif 000006
【図５】
2004138916.tif 000007
【図６】
2004138916.tif 000008
【図７】
2004138916.tif 000009
【図８】
2004138916.tif 000010
【図９】
2004138916.tif 000011
【図１０】
2004138916.tif 000012
【図１１】
2004138916.tif 000013
【図１２】
2004138916.tif 000014
【図１３】
2004138916.tif 000015
【図１４】
2004138916.tif 000016
【図１５】
2004138916.tif 000017
【図１６】
2004138916.tif 000018
【図１７】
2004138916.tif 000019
【図１８】
2004138916.tif 000020
【図１９】
2004138916.tif 000021